(57)【特許請求の範囲】
【請求項１】
利用者が情報処理端末を入力操作した際の入力操作内容とそのときの利用者の位置情報とに関連づけられた状態で、情報を記憶している記憶手段と、
利用者が情報処理端末を入力操作した際の入力操作内容を検出する入力操作内容検出手段と、
利用者が情報処理端末を入力操作した際の利用者の位置を検出する位置検出手段と、
前記記憶手段に記憶されている情報の中から、検出された入力操作内容及び位置情報と同じ入力操作内容及び位置情報に関連づけられたものを検索する検索手段と、
検索結果を表示する表示手段と、
を備えていることを特徴とする情報処理システム。
【請求項２】
サーバーと、このサーバーにネットワ−クを介して通信可能に接続された情報処理端末とを備えたネットワークシステムとして構成され、
前記入力操作内容検出手段、位置検出手段および表示手段は前記情報処理端末に備えられ、前記記憶手段および検索手段は前記サーバーに備えられている請求項１に記載の情報処理システム。
【請求項３】
情報処理端末の電源オン操作があったときに、前記入力操作内容検出手段による入力操作内容の検出、前記位置検出手段による位置の検出、及び前記検索手段による検索を行う請求項１または２に記載の情報処理システム。
【請求項４】
入力操作内容が情報処理端末の電源オン操作である請求項１〜３のいずれかに記載の情報処理システム。
【請求項５】
利用者が情報処理端末を入力操作した際の入力操作内容を検出する入力操作内容検出手段と、
利用者が情報処理端末を入力操作した際の利用者の位置を検出する位置検出手段と、
検出された入力操作内容および位置情報を検索要求信号と共にサーバー側に送信する送信手段と、
利用者が情報処理端末を入力操作した際の入力操作内容とそのときの利用者の位置情報とに関連づけられた状態で、サーバー側に記憶されている情報の中から、検出された入力操作内容および位置情報と同じ入力操作内容及び位置情報に関連づけられたものを検索した結果を受信する受信手段と、
受信した検索結果を表示する表示手段と、
を備えていることを特徴とする情報処理端末。
【請求項６】
前記表示手段に検索結果として表示された前記情報について、その取り扱い処理の実行を指令する指令手段を備えている請求項５に記載の情報処理端末。
【請求項７】
情報処理端末の電源オン操作があったときに、前記入力操作内容検出手段による入力操作内容の検出、前記位置検出手段による位置の検出、及び前記送信手段による送信を行う請求項５または６に記載の情報処理端末。
【請求項８】
入力操作内容が情報処理端末の電源オン操作である請求項５〜７のいずれかに記載の情報処理端末。
【発明の詳細な説明】
【０００１】
【発明の属する技術分野】
この発明は、ＰＤＡ（Ｐｅｒｓｏｎａｌ  Ｄｉｇｉｔａｌ  Ａｓｓｉｓｔａｎｔ）等の情報処理端末を用いた情報処理システム及び情報処理端末に関する。
【０００２】
【従来の技術】
情報機器のネットワーク化が進む昨今、ＰＤＡのような携行可能な情報処理端末を用いて、利用者は任意の場所でデータの作成や情報の検索を行うことができる。
【０００３】
ところで、このような情報処理端末を使用する場合、利用者は毎回同じ場所で同じ内容の情報を扱うことも多い。例えば、毎日の出社時に、エレベータ前で情報処理端末の電源を投入して本日の予定を確認する作業を行ったり、ホテルの予約状況が張り出された掲示板の前で、ホテルの予約状況検索サイトへのアクセスを行う場合である。
【０００４】
このため、情報処理端末に対して同じ位置で同じ内容の入力操作がなされた場合には、予定確認画面や検索サイト等の所望の情報が直接的に表示されるようにすれば、その情報を呼び出すための余分の操作を必要とすることなく、所望の情報に効率的にたどり着くことができるし、その情報についての処理を一旦中断したような場合であっても直ちに再開でき、極めて便利である。また、第三者が情報処理端末を用いて同一の情報についての処理作業を引き継ぐ場合にも、同じ位置で同じ内容の入力操作を行うことで、直接的に所望の画面が表示されるようにすれば、特別な引継作業を必要とすることなく、処理作業を効率的に引き継ぐことができる。
【０００５】
従来、たとえば、特開平８−７７１９２号公報には、利用者が情報処理端末により作成した情報を、位置情報と共にファイルに格納し、所定の情報を入手する際には、前記位置情報をキーワードにして指定ファイルを検索できる技術が開示されている。また、特開平１０−４９５１５号公報には、利用者が入力した情報と共に、その入力した場所の音声などの環境状況の検出情報を記憶させる技術が開示されている。
【０００６】
【発明が解決しようとする課題】
しかしながら、上記のような従来の公知技術においては、位置情報（環境情報）をキーワードにして情報の検索が可能となるものの、入力操作内容に関係なく位置情報に関連しているものすべての情報が検索されるので、利用者はそれら位置情報に係る各種情報のうちから所望のものを選択しなければならず、所望の情報を効率的に入手できないという問題があった。
【０００７】
この発明は、上記実情に鑑みてなされたものであり、情報処理端末により同一の場所で同一の情報を処理するような場合に、前記情報を効率的に入手することができる情報処理システム及び情報処理端末を提供することを課題とする。
【０００８】
【課題を解決するための手段】
上記課題は、利用者が情報処理端末を入力操作した際の入力操作内容とそのときの利用者の位置情報とに関連づけられた状態で、情報を記憶している記憶手段と、利用者が情報処理端末を入力操作した際の入力操作内容を検出する入力操作内容検出手段と、利用者が情報処理端末を入力操作した際の利用者の位置を検出する位置検出手段と、前記記憶手段に記憶されている情報の中から、検出された入力操作内容及び位置情報と同じ入力操作内容及び位置情報に関連づけられたものを検索する検索手段と、検索結果を表示する表示手段と、を備えていることを特徴とする情報処理システムによって解決される。
【０００９】
この情報処理システムでは、利用者が入力操作した際の入力操作内容とそのときの位置情報とに関連づけられた状態で、情報が予め記憶手段に記憶されている。そして、情報の入手時には、入力操作内容検出手段及び位置検出手段によって入力操作内容及び位置情報がそれぞれ検出され、前記記憶手段に記憶されている情報の中から、検出されたものと同一の入力操作内容及び位置情報と関連づけられている情報が検索手段で検索され、検索結果が表示手段に表示される。
【００１０】
つまり、利用者が情報処理端末を使って情報を入手する際に、位置情報のみならず、その位置での入力操作内容たとえば電源投入などの入力操作内容も検索のキーワードとなるので、検索範囲が絞り込まれた的確な検索が行われ、利用者は所望の情報を速やかに入手することができる。
【００１１】
前記情報処理システムは、それらの構成の全てを情報処理端末に備えさせたものとしても良いし、あるいは、サーバーと、このサーバーにネットワ−クを介して通信可能に接続された情報処理端末とを備えたネットワークシステムとして構成され、前記位置検出手段、入力操作内容検出手段および表示手段は前記情報処理端末に備えられ、前記記憶手段および検索手段は前記サーバーに備えられている構成としても良い。この場合には、情報処理端末の構成が簡単になるとともに、１台のサーバーで複数個の情報処理端末の管理が可能となる。また、情報処理端末の電源オン操作があったときに、前記入力操作内容検出手段による入力操作内容の検出、前記位置検出手段による位置の検出、及び前記検索手段による検索を行う構成としても良い。また、入力操作内容が情報処理端末の電源オン操作であっても良い。
【００１２】
さらにまた、前記課題は、利用者が情報処理端末を入力操作した際の入力操作内容を検出する入力操作内容検出手段と、利用者が情報処理端末を入力操作した際の利用者の位置を検出する位置検出手段と、検出された入力操作内容および位置情報を検索要求信号と共にサーバー側に送信する送信手段と、利用者が情報処理端末を入力操作した際の入力操作内容とそのときの利用者の位置情報とに関連づけられた状態で、サーバー側に記憶されている情報の中から、検出された入力操作内容および位置情報と同じ入力操作内容及び位置情報に関連づけられたものを検索した結果を受信する受信手段と、受信した検索結果を表示する表示手段と、を備えていることを特徴とする情報処理端末によって解決される。
【００１３】
この情報処理端末では、検出された入力操作内容及び位置情報が、検索要求信号と共にサーバー側に送信される。サーバーには、利用者が情報処理端末を入力操作した際の入力操作内容とそのときの利用者の位置情報とに関連づけられた状態で、情報が記憶されている。そして、サーバー側に記憶されている情報の中から、前記検出された入力操作内容および位置情報と同じ入力操作内容及び位置情報に関連づけられたものが検索され、その結果が情報処理端末の受信手段で受信され、表示手段に表示される。
【００１４】
つまり、位置情報のみならず入力操作内容も検索のキーワードとして検索が行われ、情報端末ではその結果を受信して表示手段に表示する。従って、検索範囲が絞り込まれた的確な検索が行われ、利用者は所望の情報を速やかに入手することができる。このような情報処理端末によって、前述した情報処理システムの構築が可能となる。
【００１５】
前記情報処理端末において、前記表示手段に検索結果として表示された前記情報について、その取り扱い処理の実行を指令する指令手段を備えた構成としても良い。この場合には、表示された情報について、その取り扱いを実行でき、例えば次のステップに進んだり情報をキャンセルすることなどができる。また、情報処理端末の電源オン操作があったときに、前記入力操作内容検出手段による入力操作内容の検出、前記位置検出手段による位置の検出、及び前記送信手段による送信を行う構成としても良い。また、入力操作内容が情報処理端末の電源オン操作であっても良い。
【００１６】
【発明の実施の形態】
以下、この発明の一実施形態を図面に基づいて説明する。
【００１７】
図１は、この発明の一実施形態にかかる情報処理システムを示す構成図である。
【００１８】
図１において、情報処理システムは、利用者６が所有し、あるいは利用者６に割り当てられている情報処理端末（以下、端末という）１と、ワイヤレスターミナル２と、共有サーバー３と、付帯情報データベースサーバー（以下、ＤＢサーバーという）４とから構成されている。
【００１９】
前記端末１は、たとえばＰＤＡ等の携帯型の端末が用いられており、任意の位置で各種検索サイトにアクセスしたり、文書を作成したりすることができるものである。また、前記ワイヤレスターミナル２は、端末１から送信されてきた位置情報及び入力操作内容等のデータを受信し、ネットワーク５を介して共有サーバー３に送信したり、共有サーバー３からの検索結果を端末１に送信したりする際の通信基地として機能する。
【００２０】
さらに、前記共有サーバー３およびＤＢサーバー４は、前記ワイヤレスターミナル２にネットワーク５を介して接続されている。共有サーバー３は、端末１からの検索要求を受けて、ＤＢサーバー４に所要の情報検索を行わせるものである。もちろん、共有サーバー３にＤＢサーバー４の機能を含ませたものであってもよい。
【００２１】
図２は、端末１をカバー開放状態で示す外観斜視図である。
【００２２】
図２において、端末１は、薄箱形の端末本体２１とカバー２２とからバインダ形に構成されており、端末本体２１内には、所定回路や電源電池（図示せず）が収容される一方、端末本体２１の上面には、表示部１５や操作部２３が設けられている。表示部１５は、たとえば液晶ディスプレイ（ＬＣＤという）からなり、作成データや情報の検索結果などを表示する。ＬＣＤに限らず、ＥＬ素子などで構成されたもであってもよい。表示部１５等は、カバー２２の開閉操作に連動する電源スイッチ（図示せず）のＯＮによって起動状態となる。
【００２３】
前記操作部２３は、キーボード２４やポイティングディバイス２５からなる。キーボード２４のキーの一つは、所定文書ファイルなどを開いたり一連の動作を連続的に実行するためのトリガーとして機能するアシスタントキー２４Ａとして設定されている。
【００２４】
前記カバー２２の内面側には、ＣＰＵ、ＲＡＭおよびペーパー状バッテリ（いずれも図示せず）などを積層化してなるメモリシート２６が綴じ込み部材２７，２７により、取り外し可能に装着されている。また、メモリシート２６には、外光を検出する光センサ２８が設けられている。
【００２５】
前記綴じ込み部材２７，２７は、端末本体２１側とメモリシート２６との間でデータの授受を可能にする結合手段を兼ねるとともに、その一部には、端末本体１側の電源電池からメモリシート２６のＲＡＭなどに電力を供給するための電極部（図示せず）が形成されている。もちろん、このメモリシート２６は、カバー２２から外した際には、外部から電力供給を受けることができるように構成されている。
【００２６】
前記カバー２２を開放すると、光センサ２８が外光を検出し、メモリシート２６内のＲＡＭが起動してアクセス可能となり、ＲＡＭの記憶情報に書き込みなどを行い、前記カバー２２を閉成すると、光センサ２８が遮光され、ＲＡＭが待機状態となる。
【００２７】
図３は、前記端末１の電気的構成を示すブロック図である。
【００２８】
図３において、端末１は、データ処理部１１と、記憶手段であるハードディスク装置（ＨＤＤという）１２と、全地球測位システム（Ｇｌｏｂａｌ  Ｐｏｓｉｔｉｏｎｉｎｇ  Ｓｙｓｔｅｍ  以下ＧＰＳという）ユニット１３と、入力手段１４と、表示部１５と、無線通信ユニット１６と、内蔵電源１７とを備えている。これらデ−タ処理部１１、ＨＤＤ１２、ＧＰＳユニット１３、入力手段１４、表示部１５および無線通信ユニット１６は、バス１８を介して接続されている。
【００２９】
前記デ−タ処理部１１は、端末１の全体を統括制御するＣＰＵ１１ａ、ＣＰＵ１１ａの処理プログラムを格納してあるＲＯＭ１１ｂ、ＣＰＵ１１ａによるデータ処理時の作業領域となるＲＡＭ１１ｃなどを有しており、利用者６が端末１を使用した際の入力操作内容を検出する機能を兼ねている。
【００３０】
前記ＨＤＤ１２は、デ−タ処理部１１による処理結果や入手した情報などの格納に使用される。
【００３１】
前記ＧＰＳユニット１３は、複数の通信衛星からの電波を受信することにより、端末１の現在位置（利用者６の現在位置）を検出するものである。ＧＰＳを利用して端末１の現在位置が検出されるので、比較的広範囲での位置検出が可能となる。
【００３２】
前記入力手段１４は、前記操作部２３におけるキーボード２４やポインティングデバイス２５からなる。
【００３３】
前記表示部１５は、前述のようにＬＣＤ等からなり、入力データや受信した検索結果などを表示する。
【００３４】
前記無線ユニット１６は、前記最寄りのワイヤレスターミナル２と通信するための送受信手段として機能するものであり、これにより前記ネットワーク５を経由して前記共有サーバー３等との間で情報の授受が可能となっている。
【００３５】
前記内蔵電源１７は、端末１の各部に電力を供給するものであり、前記カバー２２の開閉操作に連動する電源スイッチ１９が接続されている。
【００３６】
図４は、前記共有サーバー３の電気的構成を示すブロック図である。
【００３７】
図４において、共有サーバー３は、データ処理部３１と、ネットワークユニット３３と、入力手段３４と、表示装置３５と、内蔵電源３６とを備えている。これらデ−タ処理部３１、ネットワークユニット３３、入力手段３４および表示装置３５は、バス３７を介して接続されている。
【００３８】
前記デ−タ処理部３１は、共有サーバー３の全体を統括制御するＣＰＵ３１ａ、ＣＰＵ３１ａの処理プログラムを格納してあるＲＯＭ３１ｂ、ＣＰＵ３１ａによるデータ処理時の作業領域となるＲＡＭ３１ｃなどを有しており、各種データを処理するほか、前記端末１からの検索要求に応じて、所定の情報をＤＢサーバー４に検索させる機能を備えている。
【００３９】
前記ネットワークユニット３３は、ネットワーク５を経由して端末１からの検索要求信号を受信したり、検索結果を送信したする他、前記ＤＢサーバー４に対する制御信号やデータの授受を行う。
【００４０】
前記表示装置は、たとえばＬＣＤなどからなり、各種データの表示を行う。また、内蔵電源３６は、前記共有サーバー３の各部に電力を供給する。
【００４１】
図５は、前記ＤＢサーバー４の電気的構成を示すブロック図である。
【００４２】
図５において、ＤＢサーバー４は、データ処理部４１と、記憶手段であるＨＤＤ４２と、ネットワークユニット４３と、入力手段４４と、表示装置４５と、内蔵電源４６とを備えている。これらデ−タ処理部４１、ＨＤＤ４２、ネットワークユニット４３、入力手段４４および表示装置４５は、バス４７を介して接続されている。
【００４３】
前記デ−タ処理部４１は、ＤＢサーバー４の全体を統括制御するＣＰＵ４１ａ、ＣＰＵ４１ａの処理プログラムを格納してあるＲＯＭ４１ｂ、ＣＰＵ４１ａによるデータ処理時の作業領域となるＲＡＭ４１ｃなどを有している。
【００４４】
前記ＨＤＤ４２は、利用者６が端末１を利用した際の入力操作内容とそのときの位置情報に関連づけられた情報を、イベント情報として図６に示すような形式で記憶している。なお、ＨＤＤ４２に限らず、他の記憶手段を採用してもよい。
【００４５】
前記ネットワークユニット４３は、ネットワーク５を経由して共有サーバー３との間で情報の授受を行うための送信および受信手段を構成している。
【００４６】
前記表示装置４５は、たとえばＬＣＤなどからなり、デ−タ処理部４１による処理結果等を表示するものである。また、内蔵電源４６は、ＤＢサーバー４の各部に電力を供給する。
【００４７】
図６は、前記ＤＢサーバー４のＨＤＤ４２に記憶されている前記イベント情報の格納形態の一例を示すものである。
【００４８】
端末１からは、入力操作内容とそのときの位置情報と前記入力操作後に実行された処理内容が、イベント情報として、登録要求信号と共に共有サーバー３へ逐次送信されている。共有サーバー３へ送信されてきたイベント情報は、登録要求信号に応じて、イベント毎に、イベントレコードＲ６としてＤＢサーバー４のＨＤＤ４２に記憶される。このイベントレコードＲ６には、図６に示すように、項目（名称）として、たとえば日時６１、場所６２、利用者ＩＤ６３、操作情報ＩＤ６４、付帯情報ＩＤ６５、付帯情報変数６６および有効レベル６７などが設けられている。
【００４９】
日時６１は、イベント発生の日時を示し、場所６２は、イベント発生時の利用者（作業者）の位置を示し、利用者ＩＤ６３は、端末１の操作を行った利用者のＩＤを示す。
【００５０】
操作情報ＩＤ６４は、イベントのきっかけとなった入力操作のＩＤを示し、たとえば、カバー２２の開放操作や電源スイッチの操作による電源のオン操作（つまり端末１の利用開始）、アシスタントキー２４Ａの操作等の種類を表す。
【００５１】
さらに、付帯情報ＩＤ６５は、前記入力操作後に実行された処理、例えば所定のサイトへのアクセス処理、文書の作成処理等の種類を示す。
【００５２】
付帯情報変数６６は、付帯情報ＩＤ６５のさらに詳細な情報を示す。たとえば、所定のサイトへのアクセス処理の場合には、そのサイトのアドレス等が示され、文書作成処理の場合には、その文書のアドレス、ファイル名等が示される。
【００５３】
また、有効レベル６７は、付帯情報ＩＤ６５の有効レベルを示し、たとえば、新旧イベントが存在する場合はその優先順位を示す。この付帯情報ＩＤ６５の有効レベルは、付帯情報ＩＤ６５や付帯情報変数６６によって異なる。
【００５４】
なお、この実施形態のように、日時や利用者ＩＤを記憶しておくことで、例えば所定時間内の最新のイベント情報のみを有効なものとして、その中から入力操作内容と位置情報とに関連づけられた付帯情報を検索させることもでき、システムの運用効率を向上できる。
【００５５】
次に、図１〜図５に示した情報処理システムにおける情報登録処理を図７および図８を参照して説明する。
【００５６】
図７は、端末１側の処理を示すフローチャートである。なお、以下のフローチャートの説明ならびに図面では、ステップをＳと略記する。
【００５７】
図７において、まずＳ１０１で、ＣＰＵ１１ａは、入力操作があったか否か、例えば端末１の電源がＯＮされたか否かを判断し、入力操作がなければ（Ｓ１０１の判定がＮＯ）、そのま終了する。
【００５８】
入力操作があれば（Ｓ１０１の判定がＹＥＳ）、Ｓ１０２では、端末１の現在位置（利用者６の現在位置）の検出を、ＧＰＳユニット１３を用いて行う。たとえば、端末１の前記電源がＯＮされると、ＧＰＳユニット１３により現在位置を検出する。
【００５９】
現在位置が検出されると、Ｓ１０３で、続いて何らかの処理がなされたか否かを判断する。例えば所定の検索サイトや閲覧サイトへアクセスされたか否か、あるいは所定の文書画面入力が開かれたか否か等が判断される。
【００６０】
何らかの処理がなされたときには、Ｓ１０４で、入力操作内容と位置情報と前記処理の内容とを、イベント情報として登録要求信号と共に無線通信ユニット１６を介してワイヤレスターミナル２に送信したのち、終了する。その後の処理がなければ（Ｓ１０３の判定がＮＯ）、そのまま終了する。
【００６１】
なお、利用者６による入力操作内容を検出するトリガとして、電源１７をＯＮにすることに限らず、所定のキーを押す動作であってもよく、また、例えばアシスタントキー２４Ａ等の所定キーを操作すれば、電源ＯＮから処理動作の起動までを自動的に行う場合には、そのキーの操作をトリガとしてＳ１０１〜Ｓ１０４の動作を行うように設定することも可能である。
【００６２】
図７のフローチャートでは、Ｓ１０１での入力操作である電源ＯＮを行った後、Ｓ１０３で何らかの処理（所定の検索サイトや閲覧サイトへアクセスされる処理や所定の文書画面入力が開かれる処理等）がなされたか否かを判定しており、端末１に対しては、電源ＯＮと何らかの処理の２つの動作がなされる場合を示したが、端末１に対する利用者の動作は１つとし、Ｓ１０３が存在しない形態でも良い。例えば、電源ＯＮ操作の情報（Ｓ１０１）と位置検出情報（Ｓ１０２）だけが送信される形態でも良い。この場合、Ｓ１０４の「処理内容」に該当するものはない。
【００６３】
図８は、端末１からの前記イベント情報等を受信した共有サーバー３側の情報登録処理を示すフローチャートである。
【００６４】
前記ワイヤレスターミナル２に送信されたイベント情報等は、ネットワーク５を介して共有サーバー３に送られる。Ｓ２０１では、ワイヤレスターミナル２を介して端末１から送信されたイベント情報等を受信したか否かを判断し、受信していなければ（Ｓ２０１の判定がＮＯ）、そのまま終了する。
【００６５】
前記イベント情報を受信していれば（Ｓ２０１の判定がＹＥＳ）、Ｓ２０２で、登録要求信号に応じて、イベント情報を図６に示すようなイベントレーコードＲ６の形式でＤＢサーバー４のＨＤＤ４２に格納させる。つまり、入力操作内容と位置情報とに関連づけた状態で、入力操作後の処理（付帯情報）を格納させる。
【００６６】
なお、イベント情報の送信・登録は、端末１側で所定の入力操作が行われる度に実行されても良いし、あるいはイベント情報の送信・登録を行うか否かを、端末１側で所定のキー等の操作によって利用者自身が決定しても良い。
【００６７】
次に、上記情報処理システムを利用した情報の自動入手処理を、図９および図１０を参照して説明する。
【００６８】
図９は、端末１側の処理を示すフローチャートである。
【００６９】
図９において、まずＳ３０１で、所定の入力操作、例えば電源のオン操作があったか否かを判断し、入力操作がなければ（Ｓ３０１の判定がＮＯ）、そのまま終了する。
【００７０】
入力操作があれば（Ｓ３０１の判定がＹＥＳ）、Ｓ３０２で、端末１の現在位置をＧＰＳユニット１３により検出する。
【００７１】
ついで、Ｓ３０３で、入力操作内容（電源オン）と端末１の位置情報とを検索要求信号と共に無線通信ユニット１６を介してワイヤレスターミナル２に送信する。送信した情報や検索要求信号がワイヤレスターミナル２からネットワーク５を経由して共有サーバー３に取り込まれる。
【００７２】
ついで、Ｓ３０４では、ＤＢサーバー４のＨＤＤ４２に格納されているイベン情報を検索した結果を受信したか否かを判断し、受信していなければ受信するまでＳ３０４に待機する。受信していれば（Ｓ３０４の判定がＹＥＳ）、Ｓ３０５で、検索結果を表示部１５に表示する。例えば、格納されているイベント情報のうち、同じ入力操作内容と位置情報とに関連づけられた付帯情報を有するものがあれば、その付帯情報を表示部１５に表示する。例えば、所定のサイトへアクセスする旨や所定の文書ファイルが存在する旨を表示する。２つ以上存在する場合は、同時に表示しても良いし、有効レベルに応じて一部を優先的に表示しても良い。全く存在しないときもその旨を表示する。
【００７３】
利用者は、表示内容を見て、表示されたサイトへアクセスするか、あるいは文書ファイルを開くか否か、あるいはキャンセルするか等、その情報の取り扱い処理の実行をキーボード２４で指令すれば良い。
【００７４】
図１０は、情報入手時のサーバー３側の処理を示すフローチャートである。
【００７５】
図１０において、Ｓ４０１では、端末１から送信された入力操作内容及び位置情報を検索要求信号と共に受信したか否かを判断し、受信していなければ（Ｓ４０１の判定がＮＯ）、そのまま終了する。
【００７６】
受信していれば（Ｓ４０１の判定がＹＥＳ）、Ｓ４０２で、ＨＤＤ４２におけるイベント情報の中から、送信された入力操作内容の情報と位置情報（一定の許容誤差範囲内であればよい）との双方をキーワードにして、これらが一致しているものを検索し、Ｓ４０３で、検索結果をネットワーク５およびワイヤレスターミナル２を介して端末１に送信して終了する。
【００７７】
以上の情報入手処理を具体的に説明すると、利用者６が、たとえば掲示板の前で端末１を利用して情報を入手するものとする。利用者６が掲示板の前で端末１のカバー２２を開放すると、端末１は電源ＯＮ状態となる。この行為は、「掲示板の前では、掲示板の内容に関連する情報を検索する作業である」と見做される。このため、端末１を使用した位置情報と、前記電源がオンになったこと（入力操作内容）が共有サーバー３に送信される。
【００７８】
共有サーバー３では、受信した情報に基づき、ＤＢサーバー４に格納されているイベント情報の中から、位置情報及び電源オンに一致する情報があるか否かを検索する。過去に、同一掲示板の前で掲示板の内容に関連する情報を検索したことがあり、そのイベント情報がＤＢサーバー４に格納されていれば、そのイベント情報が検索され、イベントレコードの中の付帯情報が読み出されて端末１に送信されることにより、その情報が端末１の表示部１５に表示される。
【００７９】
つまり、位置情報だけでなく入力操作内容も検索のキーワードとして検索が実行されるから、位置情報だけをキーワードとする場合に較べて、検索範囲が絞り込まれ、所望の情報を的確に効率よく入手することができることになる。
【００８０】
また、たとえば端末１の利用者６が特定の場所でたとえば文書を作成し、その後にその利用者６あるいは他の利用者が同一場所で同一作業を引き継ぐ場合、特別な引き継ぎのための入力作業を最初から行わなくても、同一場所で同一の入力操作を行うことで前記文書を迅速に表示させることができ、効率的な引継ぎを行うことができる。
【００８１】
なお、以上の実施形態では、検索の結果として、端末１の表示装置１５に付帯情報がある旨を表示するものとしたが、「付帯情報あり」の検索結果を受信した場合、付帯情報に応じた処理を実行するように端末１が自動的にサーバー３へ要求し、サーバー３から実行結果が送られてきたときに、その結果を表示するようにしても良い。この場合には、例えば、所定のサイトへアクセスした状態や、文書が開かれた状態が直ちに表示される。この場合も、キーボード２４を用いて、次のステップに進んだり処理をキャンセルしたりすればよい。
【００８２】
これにより、利用者が所望のサイトにアクセスしたい場合に、複数の手順を踏まずに（複数のサイトを経由せずに）、直接所望のサイトにアクセスすることができる。即ち、一般に、検索サイト等の構成は、上位のサイト、さらに上位のサイトというように、複数個の階層からなる。例えば、ホテルの予約状況検索サイト（大阪市内）を所望の検索サイトとすると、その上位には予約状況検索サイト（関西）、さらに上位には予約状況検索サイト（国内）・・・さらには旅行のガイドのサイト・・・とある。
【００８３】
ここで、従来は、大阪市内のホテルの予約状況検索サイトを見たい場合でも、位置情報は全く考慮されていないので、旅行のガイドのサイト→・・・→予約状況検索サイト（国内）→予約状況検索サイト（関西）→予約状況検索サイト（大阪市内）という複数のステップを経由しなければならない。しかしながら、本件では、ホテルの予約状況が張り出された掲示板の前で、端末１の入力操作として、電源をＯＮするだけで、過去に検索したことのある予約状況検索サイト（大阪市内）が表示される。即ち、旅行のガイドのサイト、予約状況検索サイト（国内）、予約状況検索サイト（関西）を飛ばすことができる。なお、端末１の入力操作として、電源ＯＮではなく予約状況検索サイト（国内）を指定する入力操作があった場合、予約状況検索サイト（関西）が飛ばされ、過去に検索したことのある予約状況検索サイト（大阪市内）が表示される。
【００８４】
なお、情報の自動入手処理を行うか行わないかを、端末１側で利用者が任意に設定できるように構成しても良い。
【００８５】
【発明の効果】
請求項１に係る発明では、利用者が情報処理端末を使用する際の位置情報のみならず入力操作内容をも考慮して検索されるので、検索範囲を絞り込んで的確な検索を行うことができ、利用者は所望の情報を速やかに入手することができる。
【００８６】
請求項２に係る発明によれば、ネットワークを介して通信可能に接続されたサーバーと情報処理端末とを備えたネットワークシステムとして構成されることにより、情報処理端末の構成をハード的あるいはソフトウェア的に簡素化できる上、１台のサーバーで複数の情報処理端末に対する対応が可能となる。
【００８７】
請求項３に係る発明によれば、位置情報のみならず入力操作内容をも考慮して検索されるので、的確な検索を行うことができ、利用者は所望の情報を速やかに入手することができる。しかも、このような情報処理端末によって、所定の情報処理システムの構築が可能となる。
【００８８】
請求項４に係る発明によれば、表示された情報について、その取り扱いを実行でき、例えば次のステップに進んだり情報をキャンセルすることなどができる。
【図面の簡単な説明】
【図１】この発明の一実施形態にかかる情報処理システムを示すブロック図である。
【図２】同じく情報処理システムにおける情報処理端末をカバー開放状態で示す外観斜視図である。
【図３】同じく情報処理端末の電気的構成を示すブロック図である。
【図４】情報処理システムにおける共有サーバーの電気的構成を示すブロック図である。
【図５】情報処理システムにおけるＤＢサーバーの電気的構成を示すブロック図である。
【図６】サーバー側に記憶されているイベント情報の記憶形態を示す表である。
【図７】情報登録時の情報処理端末側の処理を示すフローチャートである。
【図８】情報登録時のサーバー側の処理を示すフローチャートである。
【図９】情報入手時の情報処理端末側の処理を示すフローチャートである。
【図１０】情報入手時のサーバー側の処理を示すフローチャートである。
【符号の説明】
１・・・・・・・・・情報処理端末
３，４・・・・・・・サーバー
５・・・・・・・・・ネットワーク
６・・・・・・・・・利用者
１１・・・・・・・・データ処理部（入力操作内容検出手段）
１３・・・・・・・・ＧＰＳユニット（位置検出手段）
１５・・・・・・・・表示装置
１６，３３，４３・・無線通信ユニット（送信・受信手段）
３１・・・・・・・・データ処理部（検索手段）
４２・・・・・・・・ハードディスク装置（記憶手段）
【図１】
0004189567.tif 000002
【図２】
0004189567.tif 000003
【図３】
0004189567.tif 000004
【図４】
0004189567.tif 000005
【図５】
0004189567.tif 000006
【図６】
0004189567.tif 000007
【図７】
0004189567.tif 000008
【図８】
0004189567.tif 000009
【図９】
0004189567.tif 000010
【図１０】
0004189567.tif 000011